(57)【要約】  効果的な広告通知が可能な家庭用電気機器を提供する。加熱調理機器（１００）は、広告情報に基づいて広告を通知する表示部（１０）および音声入出力部（２０）と、表示部（１０）および音声入出力部（２０）を制御する表示制御部（１１０ｃ）および音声制御部（１１０ｄ）と、人感センサ（２４）とを備え、表示制御部（１１０ｃ）および音声制御部（１１０ｄ）は、表示部（１０）および音声入出力部（２０）からの通知をユーザが確認できる可能性が高い時間帯でかつ人感センサ（２４）が人を検知した場合に広告を通知するように、表示部（１０）および音声入出力部（２０）を制御する。
2019193792.tif 000002
【特許請求の範囲】
【請求項１】
外部装置と通信する通信部と、
広告情報を前記通信部による前記外部装置との通信により取得する広告情報取得部と、
前記広告情報取得部にて取得された広告情報に基づいて広告を画像、映像、音声の少なくとも１つで通知する広告通知部と、
前記広告通知部を制御する広告通知制御部と、
人を検知する人感センサと、を備え、
前記広告通知制御部は、前記広告通知部からの通知をユーザが確認できる可能性が高い時間帯でかつ前記人感センサが人を検知した場合に広告を通知するように、前記広告通知部を制御することを特徴とする家庭用電気機器。
【請求項２】
前記人感センサが人を検知した回数を時間帯毎に記憶するモニタリング部を備え、
前記広告通知部からの通知をユーザが確認できる可能性が高い時間帯は、前記人感センサが人を検知した回数が多い時間帯を含むことを特徴とする請求項１に記載の家庭用電気機器。
【請求項３】
広告の通知を希望する時間帯の設定を受け付ける設定受付部を備え、
前記広告通知部からの通知をユーザが確認できる可能性が高い時間帯は、前記設定受付部で設定された時間帯を含むことを特徴とする請求項１又は２に記載の家庭用電気機器。
【請求項４】
前記通信部および前記人感センサはオンオフ可能であり、
前記通信部のオンに連動して前記人感センサをオンすることを特徴とする請求項１から３の何れか１項に記載の家庭用電気機器。
【請求項５】
前記通信部はオンオフ可能であり、
前記広告通知部は音声による通知を行い、音声出力のオンオフが可能であり、
前記通信部のオンに連動して前記広告通知部の音声出力をオンすることを特徴とする請求項１から４の何れか１項に記載の家庭用電気機器。
【請求項６】
加熱調理を行う加熱部を備えることを特徴とする請求項１から５の何れか１項に記載の家庭用電気機器。
【請求項７】
請求項１から６の何れか１項に記載の家庭用電気機器と、前記広告情報を前記家庭用電気機器へ送信する前記外部装置としての管理サーバとを備えていることを特徴とする広告通知システム。
【請求項８】
前記広告通知部は、広告に対するユーザからの要望を受け付け、
前記広告通知制御部は、前記広告通知部で受け付けた要望を、前記通信部を介して前記管理サーバに送信し、
前記管理サーバは、前記家庭用電気機器から送信されるユーザからの要望を受け付け、該要望に対する回答を前記家庭用電気機器に送信する回答部を備え、
前記広告通知制御部は、前記管理サーバから送信される前記回答をユーザが確認できるように前記広告通知部を制御することを特徴とする請求項７に記載の広告通知システム。
【請求項９】
前記管理サーバは前記家庭用電気機器と関連付けられた端末装置と通信可能であり、
前記回答部は、前記要望に対する回答を前記端末装置に送信することを特徴とする請求項８に記載の広告通知システム。
【発明の詳細な説明】
【技術分野】
【０００１】
本発明は、サーバからネットワークを介して配信された広告情報に基づいて広告通知を行う家庭用電気機器、および広告通知システムに関する。
【背景技術】
【０００２】
従来、例えば特許文献１に開示されているように、サーバからネットワークを介して配信された広告情報を表示する加熱調理機器がある。この加熱調理機器では、一定の時間毎に広告情報を表示部に表示することが記載されている。
【先行技術文献】
【特許文献】
【０００３】
【特許文献１】日本国特許公報「特開２００１−９０９５３号公報」
【発明の概要】
【発明が解決しようとする課題】
【０００４】
ところが、特許文献１の加熱調理機器では、一定の時間毎に広告情報を表示部に表示するようになっており、ユーザが加熱調理機器の近くに居ない場合にも表示される。そのため、ユーザに対して広告内容を十分に伝えることができず、効果的な広告通知ができないという問題がある。また、このような問題は加熱調理機器に限らず、広告を通知する機能を有する家庭用電気機器全般の問題でもある。【０００５】
本発明の一態様は、効果的な広告通知が可能な家庭用電気機器および広告通知システムを提供することを目的としている。
【課題を解決するための手段】
【０００６】
上記の課題を解決するために、本発明の一態様に係る家庭用電気機器は、外部装置と通信する通信部と、広告情報を前記通信部による前記外部装置との通信により取得する広告情報取得部と、前記広告情報取得部にて取得された広告情報に基づいて広告を画像、映像、音声の少なくとも１つで通知する広告通知部と、前記広告通知部を制御する広告通知制御部と、人を検知する人感センサと、を備え、前記広告通知制御部は、前記広告通知部による広告の通知をユーザが確認できる可能性が高い時間帯でかつ前記人感センサが人を検知した場合に広告を通知するように、前記広告通知部を制御することを特徴とする。【０００７】
上記の課題を解決するために、本発明の一態様に係る広告通知システムは、前記本発明の一態様に係る家庭用電気機器と、前記広告情報を前記家庭用電気機器へ送信する前記外部装置としての管理サーバとを備えていることを特徴とする。
【発明の効果】
【０００８】
本発明の一態様によれば、効果的な広告通知が可能な家庭用電気機器および広告通知システムを提供することができる。
【図面の簡単な説明】
【０００９】
【図１】実施形態１の広告通知システムの構成を示す模式図である。
【図２】実施形態１の加熱調理機器の外観斜視図である。
【図３】実施形態１の加熱調理機器の制御ブロック図である。
【図４】広告情報に含まれるデータの構造を示す説明図である。
【図５】実施形態１の広告通知システムに含まれる管理サーバの構成を示すブロック図である。
【図６】実施形態１の加熱調理器の広告通知に関する動作を示すフローチャートである。
【図７】実施形態１の広告通知システムに含まれる管理サーバの再生有効時間帯を設定する動作を示すフローチャートである。
【図８】実施形態１の広告通知システムに含まれる管理サーバの広告情報を送信する動作を示すフローチャートである。
【図９】実施形態１の加熱調理機器における広告通知の一例を示す説明図である。
【図１０】実施形態３の加熱調理機器における広告通知の一例を示す説明図である。
【図１１】実施形態３の広告通知システムに含まれる管理サーバの構成を示すブロック図である。
【図１２】実施形態４の広告通知システムの構成を示す模式図である。
【図１３】実施形態４の広告通知システムに含まれる管理サーバの構成を示すブロック図である。
【図１４】実施形態４の広告通知システムにおいて、管理サーバから送信されて携帯端末装置に表示された要望に対する回答の一例を示す説明図である。
【図１５】実施形態５の広告通知システムに含まれる管理サーバの構成を示すブロック図である。
【図１６】実施形態５の加熱調理機器におけるメンテナンス表示の一例を示す説明図である。
【図１７】実施形態５の加熱調理機器における清掃用品の広告表示の一例を示す説明図である。
【発明を実施するための形態】
【００１０】
本発明の複数の実施形態について、以下に説明する。なお、説明の便宜上、先に記載した実施形態にて説明した部材と同じ機能を有する部材については、同じ符号を付記し、後記する実施形態においてはその説明を繰り返さない。
【００１１】
また、以下に記載する複数の実施形態においては、家庭用電気機器として、オーブン・レンジタイプの箱型の加熱調理機器を、図面を用いて詳細に説明する。なお、このような加熱調理機器に限らず、ネットワークを介してサーバよる広告情報を受領して広告を画像、映像、音声の少なくとも１つで通知することができる広告通知部を備える家庭用電気機器であればよい。広告通知部としては、表示装置、音声出力装置（スピーカ）があり、広告通知部を備える家庭用電気機器としては、例えば、鍋型の加熱調理機器や、冷蔵庫、洗濯機、ドアホン、プリンタ、テレビなどがある。
【００１２】
〔実施形態１〕
（広告通知システムの概要）
図１は、実施形態１の広告通知システムの構成を示す模式図である。図１に示すように、広告通知システムは、加熱調理機器１００と管理サーバ（外部装置）２００を備えている。本実施形態の形態では、加熱調理機器１００は、管理サーバ２００より広告情報を受信して、加熱調理機器１００の広告通知部にて広告するようになっている。加熱調理機器１００は、広告通知部として、画像表示にて広告を通知する表示部１０（図２参照）と、音声出力にて広告を通知する音声入出力部２０（図３参照）とを備える。
【００１３】
加熱調理機器１００は、管理サーバ２００と例えばインターネット回線を介して通信する。なお、通信回線の種類については特に限定されない。
【００１４】
管理サーバ２００は、例えばクラウドコンピューティングシステムを構成するクラウドサーバである。
【００１５】
加熱調理機器１００は、詳細には、ＷｉＦｉ(登録商標)通信モジュール１２０を備え、無線アクセスポイント８０およびインターネット回線Ｎを介して管理サーバ２００と通信する。なお、ＷｉＦｉ通信モジュール１２０は、インターネット回線Ｎに直接接続されるようにしてもよい。また、ＷｉＦｉの代わりにBluetooth(登録商標)などの他の通信規格を用いてもよい。
【００１６】
（加熱調理機器１００の外観構成）
図２は、本発明の実施形態１の加熱調理機器１００の外観斜視図である。加熱調理機器１００は、図２に示すように、直方体形状の本体ケーシング１と、本体ケーシング１内に設けられ、前側に開口部２ａを有する加熱庫２と、加熱庫２の開口部２ａを開閉する扉３とを備えている。本体ケーシング１の上側かつ後側に排気ダクト５が設けられ、また、本体ケーシング１の前面の下部に、露受容器６を着脱可能に取り付けられている。
【００１７】
扉３は、本体ケーシング１の前面側に下側の辺を軸に回動可能に取り付けられ、前面(加熱庫２とは反対側の表面)に、庫内を覗きみることのできる窓部７が設けられている。また、扉３は、窓部７の上側に位置するハンドル８と、窓部７の右側（向かって右側）に設けられた操作パネル９とを有している。
【００１８】
操作パネル９は、ＬＣＤ等からなる表示部１０と、途中で加熱を止めるときなどに押す取り消しキー１７と、加熱を開始するときに押すあたためスタートキー１８とを含んでいる。そして、操作パネル９における表示部１０の上方に、人感センサ２４の検知窓１６が形成されており、検知窓１６の裏側に人感センサ２４が配設されている。人感センサ２４は、加熱調理機器１００の前を人が通ったり、加熱調理機器１００に人が近づいてきたりすると、その動きを基に人の存在を検知する。
【００１９】
（加熱調理機器１００の制御ブロックの構成）
図３は、加熱調理機器１００の制御ブロック図である。加熱調理機器１００は、図３に示すように、制御装置１１０を備えている。制御装置１１０は、マイクロコンピュータと入出力回路などからなる。
【００２０】
制御装置１１０には、ＷｉＦｉ通信モジュール（通信部）１２０、表示部１０を有する操作パネル９、音声入出力部２０、加熱部２１、庫内センサ部２２および人感センサ２４が接続されている。音声入出力部２０は、スピーカ及びマイクを備え、加熱部２１は、ヒータおよびマグネトロンを備えている。庫内センサ部２２は、例えば、湿度センサおよび庫内温度センサを備えている。
【００２１】
制御装置１１０は、加熱制御部１１０ａ、通信制御部１１０ｂ、表示制御部１１０ｃ、音声制御部１１０ｄ、調理メニュー管理部１１０ｅ、広告情報取得部１１０ｆ、ユーザ情報生成部１１０ｇ、タイミング決定部１１０ｈ、広告情報管理部１１０ｉなどを有する。
【００２２】
加熱制御部１１０ａは、操作パネル９より指示された内容の加熱調理を、庫内センサ部２２からの信号等に基づいて加熱部２１を制御して行う。
【００２３】
通信制御部１１０ｂは、ＷｉＦｉ通信モジュール１２０を制御して、管理サーバ２００と通信する。
【００２４】
表示制御部１１０ｃは、表示部１０の表示動作を制御して、表示部１０に指示入力画面や指示入力キーを表示したり、調理メニューのレシピを表示したり、広告情報に基づいて広告表示を行ったりする。表示制御部１１０ｃは、タイミング決定部１１０ｈにて決定されたタイミングにて広告表示を行う。また、表示制御部１１０ｃは、表示部１０に表示された指示入力画面より指示入力画面を受け付ける。
【００２５】
音声制御部１１０ｄは、音声入出力部２０のスピーカを制御して、電気信号を音声に変換してユーザに対して発話したり、広告情報に基づいて広告音声を出力したりする。また、音声制御部１１０ｄは、音声入出力部２０のマイクを制御して、ユーザの音声を電気信号に変換して入力する。
【００２６】
調理メニュー管理部１１０ｅは、加熱調理機器１００にて実行可能な料理、およびそれら料理ごとの加熱部２１に対して加熱制御部１１０ａが行う制御内容の情報を記憶し、管理する。
【００２７】
広告情報取得部１１０ｆは、通信制御部１１０ｂを介して広告情報を管理サーバ２００から取得する。取得された広告情報は、制御装置１１０が備える揮発メモリ（図示せず）が保持する。
【００２８】
広告情報には、図４に示すように、画像データおよび音声データよりなる広告データと、広告の再生を許可する時間に関する情報とを含む。ここでは、該時間に関する情報として、再生有効期日の情報と再生有効時間帯の情報とを含む。図４の例では、再生有効期日の情報として「２０１８年４月○○日〜２０１８年４月××日」を有し、再生有効時間帯の情報として「１６：００〜１９：３０」を有する。なお、図４は、広告情報に含まれるデータの構造を示す説明図である。
【００２９】
ユーザ情報生成部１１０ｇは、通信制御部１１０ｂを介して管理サーバ２００に通知するユーザ情報を生成する。ユーザ情報には、人感センサ２４による人検知回数を時間帯毎に記憶した情報が含まれる。また、ユーザ情報には、広告が視聴されたかどうか、より詳細には、最後まで再生されたか、途中で取り消されたか、期限切れになったか、などの情報が含まれる。また、ユーザ情報には、広告が視聴された時刻の情報も含まれる。さらに、ユーザ情報には、調理が行われた場合に、調理された料理名、調理された時刻の情報も含まれる。なお、広告の再生の途中取り消しは、表示部１０の後述する「キャンセル」ボタン１２（図９参照）や、音声入出力部２０による音声入力にて行うことができる。
【００３０】
タイミング決定部１１０ｈは、表示部１０および音声入出力部２０を用いて広告通知を行うタイミングを決定する。タイミング決定部１１０ｈは、広告情報の再生有効期日内における再生有効時間帯でかつ人感センサ２４が人を検知した場合に、広告通知のタイミングであると判断し、表示制御部１１０ｃおよび音声制御部１１０ｄに広告表示および広告音声の出力を指示する。
【００３１】
本発明における広告通知制御部は、タイミング決定部１１０ｈ、表示制御部１１０ｃおよび音声制御部１１０ｄにて構成され、本発明におけるモニタリング部は、ユーザ情報生成部１１０ｇにて構成される。
【００３２】
広告情報管理部１１０ｉは、制御装置１１０が備える揮発メモリ（図示せず）に保持されている広告情報を管理する。広告情報管理部１１０ｉは、表示部１０および音声入出力部２０を用いて一度再生（通知）された広告情報、再生有効期日が過ぎた期限切れの広告情報、および途中で再生が取り消された広告情報を破棄する。
【００３３】
また、制御装置１１０は、人感センサ２４および音声入出力部２０がオフされている場合、ＷｉＦｉ通信モジュール１２０がオンして無線アクセスポイント８０と接続されると、これに連動して人感センサ２４および音声入出力部２０をオンする。これにより、人感センサ２４および音声入出力部２０をユーザの意思でオンオフできる構成としながらも、広告通知を行うタイミングでは、ユーザの手を煩わせることなく確実にオンさせることができる。
【００３４】
（管理サーバ２００の構成）
図５は、広告通知システムに含まれる管理サーバ２００の構成を示すブロック図である。管理サーバ２００は、図５に示すように、通信部２００ａ、調理メニュー管理部２００ｂ、広告情報提供部２００ｃおよびユーザ情報管理部２００ｄを備えている。
【００３５】
通信部２００ａは、加熱調理機器１００と通信する。調理メニュー管理部２００ｂは、加熱調理機器１００にて実行可能な料理およびそれら料理についての調理情報を記憶し、管理する。広告情報提供部２００ｃは、通信部２００ａを介して加熱調理機器１００に広告情報を提供する。
【００３６】
ユーザ情報管理部２００ｄは、加熱調理機器１００から通信部２００ａを介して受信するユーザ情報に基づいて、広告情報の再生有効時間帯を設定したり、ユーザが好む又は好まない広告情報の内容を判別したり、広告情報の提供を見合わせる期間を決定したりする。
【００３７】
例えば、人検知回数を時間帯毎に記憶した情報（履歴の情報）に基づいて、ユーザが加熱調理機器１００の近くに居る時間帯を判別する。そして、判別した時間帯を再生有効時間帯に設定し、広告情報提供部２００ｃに通知する。この再生有効時間帯が、表示部１０および音声入出力部２０からの通知をユーザが確認できる可能性が高い時間帯である。再生有効期日は広告データの内容によって設定されるが、再生有効時間帯は広告データの内容に関わらずユーザの生活習慣によって設定される。
【００３８】
再生有効時間帯の設定に、ユーザ情報に含まれる広告が視聴された時刻の情報の履歴や、調理が行われた時刻の情報の履歴を加味してもよい。視聴された時刻の情報の履歴を加味することで、ユーザが広告通知を受けてもよいと思うより的確な時間帯にタイミング良く広告通知を行うことができる。また、調理が行われた時刻の情報の履歴と人感センサの検知の情報の履歴を加味することで、加熱調理機器１００での調理は行わないが、加熱調理機器１００の近くに人が居る時間帯に広告通知を行うことができる。
【００３９】
また、最後まで再生された広告の商品の種類の属性を判別して、その属性を広告情報提供部２００ｃに通知してもよい。これにより、広告情報提供部２００ｃは、最後まで再生された広告の商品と同じ種類の属性に含まる商品の広告情報を優先して提供する。
【００４０】
また、途中で再生が取り消された場合は、取り消された広告、あるいは取り消された広告の商品の種類の属性を判別してその属性を広告情報提供部２００ｃに通知してもよい。これにより、広告情報提供部２００ｃは、取り消された広告は所定期間（可変）、再提供（再配信）しないようにしたり、取り消された広告の商品と同じ種類の属性に含まる商品の広告情報の提供頻度を落としたりする。また、広告情報を提供する頻度自体を落としたり、所定期間（可変）、広告情報の提供を停止したりしてもよい。
【００４１】
また、途中で再生が数回連続して取り消された場合は、その旨を広告情報提供部２００ｃに通知し、広告情報提供部２００ｃは、取り消された広告情報の再提供を禁止する。
【００４２】
（広告通知システムの動作）
次に、広告通知システムにおける各部の動作について以下に説明する。図６は、加熱調理機器１００の広告通知に関する動作を示すフローチャートである。図６に示すように、制御装置１１０は、人感センサ２４にて加熱調理機器１００の近くに人が居ることが検知されると（Ｓ１）、検知した時刻の情報と共に検知したことを記憶する（Ｓ２）。次に、再生有効期日内の広告情報が有るかどうか、つまり、揮発メモリに保持されているかどうか判断する（Ｓ３）。ここで、保持されていると判断すると、続けて、現時刻が再生有効時間帯内であるかどうかを判断し（Ｓ４）、再生有効時間帯内であると判断した場合は、広告情報に基づいて広告通知（広告の表示および音声の出力）を行う（Ｓ５）。
【００４３】
一方、Ｓ３にて再生有効期日内の広告情報ないと判断した場合と、Ｓ４にて現時刻が再生有効時間帯内でないと判断した場合とは、Ｓ１に戻る。
【００４４】
図７は、管理サーバ２００の再生有効時間帯を設定する動作を示すフローチャートである。図７に示すように、管理サーバ２００は、加熱調理機器１００からユーザ情報を受信すると（Ｓ１１）、ユーザ情報に含まれる時間帯毎の検知回数の情報に基づいて、再生有効時間帯の設定、あるいは見直しを行う（Ｓ１２）。例えば、夕方の１６：００〜１９：３０の時間帯の検知回数が他の時間帯よりも多い場合は、この時間帯を再生有効時間帯に設定する。また、ユーザの生活習慣が変更されるなどして、検知回数が他の時間帯よりも多い時間帯が変更され他場合は、再生有効時間帯の見直しを行う。なお、再生有効時間帯は複数の時間帯を設定してもよい。
【００４５】
図８は、管理サーバ２００の広告情報を送信する動作を示すフローチャートである。図８に示すように、管理サーバ２００は、広告情報を送信するタイミングであるかどうかを判断している（Ｓ２１）。広告情報を送信するタイミングであるかどうかの判断は、例えば、加熱調理機器１００から広告情報の送信要求が有ったかどうか、あるいは決められた送信時刻になったかどうかなどで行われる。Ｓ２１において、広告情報を送信するタイミングであると判断すると、送信すべき広告データに、その広告データに設定されている再生有効期間の情報と、設定した再生有効時間帯の情報とを付けて、加熱調理機器１００に送信する（Ｓ２２）。
【００４６】
図９は、加熱調理機器１００における広告通知の一例を示す説明図である。図９に示すように、表示部１０の広告表示領域１１に画像データに基づいて広告表示がなされ、音声入出力部２０のスピーカより、音声データに基づいて広告音声が出力される。広告表示領域の下方には、指示入力ボタンとして「キャンセル」ボタン１２が表示されており、「キャンセル」ボタン１２を操作することで、広告表示および広告音声の出力を途中で取り消すことができる。この「キャンセル」ボタン１２が、広告通知部における広告に対するユーザからの要望を受け付ける部分に相当する。なお、途中の取り消しは、ユーザが発生した「広告をキャンセルして」「広告を止めて」「広告不要」等の音声を、音声入出力部２０のマイクより入力させることでも取り消すことができる。なお、「再通知」ボタンを設けて、後で再度確認できるようにしてもよい。
【００４７】
以上のように、上記構成では、広告の通知をユーザが確認できる可能性が高い時間帯で、かつ人感センサ２４が人を検知した場合に、広告通知を行うので、効果的な広告通知が可能となる。効果的な広告通知とは、まずは、ユーザに広告を見せたり、聞かせたりすることであり、次に、広告された商品の購入につなげることである。
【００４８】
例えば、ユーザが確認できる可能性が高い時間帯の任意のタイミングで広告通知を行う構成とすると、実際には人が近くに居ない状況で広告通知が行われることがある。これでは、広告をユーザに見せたり聞かせたりすることさえできず、効果的な広告通知とは言えない。
【００４９】
また、人感センサが人を検知したタイミングだけで広告通知を行う構成とすると、例えば、加熱調理機器の前を通り過ぎただけで、すぐにその場を離れるような状況で広告通知が行われることがある。この場合も、広告をユーザに見せたり聞かせたりすることができず、効果的な広告通知とは言えない。
【００５０】
また、人感センサが人を検知したタイミングだけで広告通知を行う構成とすると、実際に人が近くに居ても、広告を通知したい相手であるとは限らなかったりもする。上述したように、ユーザ情報に基づいてユーザが好む広告を優先して提供する場合などは、広告を通知したい相手は、広告の好み等を判別したユーザである。該ユーザは、広告の商品に興味を持っていたり、購入したりする可能性が高い。
【００５１】
上記構成では、広告の通知をユーザが確認できる可能性が高い時間帯で、かつ人感センサ２４が人を検知した場合に、広告通知を行うので、広告の好みを判別した広告を通知したい相手により効率良く広告を見せたり聞かせたりすることが可能となり、広告された商品の購入につなげることができる。
【００５２】
また、上記構成では、広告の通知をユーザが確認できる可能性が高い時間帯である再生有効時間帯を、人検知回数を時間帯毎に記憶した情報（履歴の情報）に基づいて設定するので、ユーザの手を煩わせることなく自動に設定することができる。なお、ここでは、加熱調理機器１００から送信されるユーザ情報に基づいて、管理サーバ２００が再生有効時間帯を設定するようになっているが、加熱調理機器１００が設定してもよい。その場合、広告データには、再生有効期日の情報のみ付加される。
【００５３】
〔実施形態２〕
実施形態１の加熱調理機器１００においては、ユーザ情報生成部１１０ｇが人感センサ２４による人検知回数を時間帯毎に記憶し、その情報を管理サーバ２００に送信し、管理サーバ２００にて該情報に基づいて再生有効時間帯を設定していた。
【００５４】
これに対し、実施形態２の加熱調理機器１００においては、操作パネル９を用いてユーザ自身が広告通知を希望する時間帯情報を設定する。設定された時間帯情報をユーザ情報生成部１１０ｇが管理サーバ２００に送信し、管理サーバ２００が受信した時間帯情報を再生有効時間帯として設定する。本発明における設定受付部は、操作パネル９にて構成される。なお、加熱調理機器１００の外観構成や、制御ブロック、管理サーバ２００の構成については実施形態１と同じである。
【００５５】
上記構成によれば、ユーザ自身で広告通知を希望する時間帯を指定できるようになる。これにより、例えば、加熱調理機器１００の近くに居て調理作業などを行ってはいるが、他の家族が寝ている早朝の時間帯等、広告通知が成されることを希望しない時間帯を外すことができる。また、夕食の調理作業の時間帯など、ユーザ自身が希望する時間帯を指定することで、新商品の情報やお得な情報を集中的に得ることができる。
【００５６】
なお、ここでは、操作パネル９を用いてユーザ自身が広告通知を希望する時間帯情報を設定する構成としてが、逆に、広告通知を希望しない時間帯情報を設定する構成としてもよい。その場合は、管理サーバ２００は、受信した時間帯情報に示される時間帯以外の時間帯を再生有効時間帯として設定する。
【００５７】
〔実施形態３〕
実施形態１の加熱調理機器１００においては、図９に示すように、表示部１０の広告表示領域の下方に、広告表示および広告音声の出力を途中で取り消すための「キャンセル」ボタン１２が表示される構成であった。
【００５８】
実施形態３の加熱調理機器１００Ａにおいては、図１０に示すように、表示部１０の広告表示領域の下方に、「キャンセル」ボタン１２の他に、「詳細」ボタン１３、「ほしい」ボタン１４、「他には」ボタン１５が表示される。図１０は、実施形態３の加熱調理機器１００における広告通知の一例を示す説明図である。
【００５９】
これら「詳細」ボタン１３、「ほしい」ボタン１４および「他には」ボタン１５は、広告通知部における広告に対するユーザからの要望を受け付ける部分に相当する。これらのボタン１３〜１５が押されると、ユーザ情報生成部１１０ｇは、押されたボタンに応じたユーザの要望をユーザ情報として管理サーバ２００に送信する。
【００６０】
「詳細」ボタン１３は、ユーザが広告の商品について詳しく知りたいときに押すことで、詳細な情報を要求することができる。「ほしい」ボタン１４は、ユーザが広告の商品の購入を希望するときに押すことで、購入するための情報を要求することができる。「他には」ボタン１５は、ユーザが広告の商品と類似する商品（種類の属性が同じ）の情報を要求するときに押すことで、類似する商品の情報を要求することができる。
【００６１】
図１１は、実施形態３の広告通知システムに含まれる管理サーバ２００Ａの構成を示すブロック図である。管理サーバ２００Ａは、図１１に示すように、要望に対する回答の情報を加熱調理機器１００に送信する要望回答部（回答部）２００ｅをさらに備える。要望回答部２００ｅが、要望に対する回答の情報を加熱調理機器１００に送信する。
【００６２】
要望回答部２００ｅは、詳細な情報として、画像による商品紹介情報や、音声による商品詳細情報、あるいは商品のＷｅｂページのＵＲＬまたはＱＲコード（登録商標）等を送信する。これにより、「詳細」ボタン１３を押すことで、広告表示領域に、商品紹介画面や、商品のＷｅｂページのＵＲＬまたはＱＲコード等が表示されたり、音声入出力部２０から音声で詳しい商品情報が流れたりする。
【００６３】
要望回答部２００ｅは、購入するための情報として、商品の購入ページのＵＲＬまたはＱＲコード等を送信する。これにより、「ほしい」ボタン１４を押すことで、広告表示領域に、購入ページのＵＲＬまたはＱＲコード等が表示される。
【００６４】
要望回答部２００ｅは、類似する商品の情報として、画像による類似商品の広告情報や、類似商品のＷｅｂページのＵＲＬまたはＱＲコード等を送信する。これにより、「他には」ボタン１５を押すことで、類似商品の広告通知が成されたり、広告表示領域に類似商品のＷｅｂページのＵＲＬまたはＱＲコード等が表示されたりする。
【００６５】
上記構成によれば、広告通知に対するユーザの要望を受け付け、応えることができるので、単なる広告通知ではなく、商品の購入に結び付く、より効果的な広告通知が可能となる。
【００６６】
〔実施形態４〕
図１２は、実施形態４の広告通知システムの構成を示す模式図である。図１４に示すように、広告通知システムは、加熱調理機器１００および管理サーバ２００Ｂに加えて、携帯端末装置（端末装置）３００を備えている。携帯端末装置３００は、管理サーバ２００Ｂと例えばモバイル回線を介して通信する。なお、通信回線の種類については特に限定されない。
【００６７】
図１３は、管理サーバ２００Ｂの構成を示すブロック図である。管理サーバ２００Ｂは、図１３に示すように、加熱調理機器１００との通信を許可された端末装置（本実施形態では携帯端末装置３００）の情報を管理する端末装置管理部２００ｆをさらに備える。
【００６８】
携帯端末装置３００は、例えばスマートフォンであり、スマートフォンとしての周知の構成を有する。携帯端末装置３００は、加熱調理機器１００と通信可能な端末装置として、管理サーバ２００に登録されている。
【００６９】
要望回答部２００ｅは、加熱調理機器１００側で「詳細」ボタン１３が押された場合、商品紹介画面や、商品のＷｅｂページのＵＲＬまたはＱＲコード等の商品情報を、携帯端末装置３００にも送信する。要望回答部２００ｅは、加熱調理機器１００側で「ほしい」ボタン１４が押された場合、購入ページのＵＲＬまたはＱＲコード等の購入情報を、携帯端末装置３００にも送信する。要望回答部２００ｅは、加熱調理機器１００側で「他には」ボタン１５が押された場合、類似商品の広告情報や、類似商品のＷｅｂページのＵＲＬまたはＱＲコード等の情報を、携帯端末装置３００にも送信する。なお、要望に対する回答の情報を携帯端末装置３００にのみ送信するようにしてもよい。
【００７０】
図１４は、管理サーバ２００Ｂから送信されて携帯端末装置３００に表示された要望に対する回答の一例を示す説明図である。図１４の例示では、加熱調理機器１００側で「ほしい」ボタン１４が押された場合であり、携帯端末装置３００において受信した購入ページのＵＲＬまたはＱＲコード等でアクセスすることで、購入ページに入ることができる。
【００７１】
上記構成によれば、広告通知に対するユーザの要望に対する回答を、携帯端末装置３００にて受け取ることができる。したがって、広告商品や類似商品の書品紹介、購入等をスムーズに行うことができる。これにより、商品の購入に結び付く、より一層効果的な広告通知が可能となる。
【００７２】
〔実施形態５〕
図１５は、実施形態５の広告通知システムに含まれる管理サーバ２００Ｃの構成を示すブロック図である。管理サーバ２００Ｃは、図１５に示すように、人感センサ２４の情報を管理する人感センサ管理部２００ｇをさらに備える。人感センサ管理部２００ｇは、加熱調理機器１００と管理サーバ２００Ｃとの間で、通信が可能な状態であるにも係わらず、人感センサ２４の人の検知の情報だけが通知されなくなった場合に、メンテナンスのお知らせや清掃用品の広告を配信する。清掃用品の広告の配信は、広告情報提供部２００ｃを介して行う。
【００７３】
つまり、加熱調理機器１００は、調理を実行した場合に、調理を実行した情報を管理サーバ２００Ｃに送信するようになっている。したがって、加熱調理機器１００と管理サーバ２００Ｃとの間で、調理に関する情報の遣り取りが行われているにも係わらず、人感センサ２４の人の検知の情報だけが通知されないということは、人感センサ２４の故障もしくは汚れなどによる機能阻害が考えられる。そこで、実施形態５の広告通知システムにおいては、管理サーバ２００Ｃにおける人感センサ管理部２００ｇがこのような状況であると判断すると、加熱調理機器１００に対して、メンテナンスのお知らせや清掃用品の広告を配信する。
【００７４】
図１６は、加熱調理機器１００におけるメンテナンス表示の一例を示す説明図である。図１６に示すように、表示部１０の広告表示領域１１に、メンテナンスとしての拭き掃除を促すメッセージが表示される。
【００７５】
図１７は、加熱調理機器１００における清掃用品の広告表示の一例を示す説明図である。図１７に示すように、表示部１０の広告表示領域１１に、拭き掃除に適した清掃用品の広告が表示される。
【００７６】
また、拭き掃除を促すメッセージを数回送信しても状況が変わらない場合は、人感センサ２４の故障が考えられるので、人感センサ２４の故障の恐れがあることと、その場合の対処方法を示すメッセージを、広告表示領域１１に表示させてもよい。
【００７７】
上記構成によれば、人感センサ２４の故障もしくは汚れなどによる機能阻害に対して、管理サーバ２００Ｃから加熱調理機器１００のユーザに解決のための対処方法を提案することができる。
【００７８】
また、上記構成において、さらに人感センサ管理部２００ｇは、人感センサ２４の人の検知の情報が異常に頻繁に通知されるようになった場合に、メンテナンスのお知らせを配信すると共に、広告情報提供部２００ｃに通知して、通常広告の配信頻度を下げさせるようにしてもよい。
【００７９】
これにより、人感センサ２４が故障して頻繁に誤検知するようになった場合に、速やかに修理を促すことができると共に、誤検知であるにもかかわらず広告が配信されて頻繁に広告通知が行われるといった異常な事態を回避することができる。
【００８０】
この場合に、表示部１０の広告表示領域１１に表示されるメンテナンス表示としては、例えば、人感センサ２４の故障の恐れがあり修理依頼をすすめるメッセージが表示される。
【００８１】
〔ソフトウェアによる実現例〕
加熱調理機器１００の制御ブロック（特に制御装置１１０）は、集積回路（ＩＣチップ）等に形成された論理回路（ハードウェア）によって実現してもよいし、ソフトウェアによって実現してもよい。
【００８２】
後者の場合、加熱調理機器１００は、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００８３】
〔まとめ〕
本発明の態様１に係る家庭用電気機器は、外部装置（管理サーバ２００，２００Ａ，２００Ｂ，２００Ｃ）と通信する通信部（ＷｉＦｉ（登録商標）通信モジュール１２０）と、広告情報を前記通信部による前記外部装置との通信により取得する広告情報取得部１１０ｆと、前記広告情報取得部にて取得された広告情報に基づいて広告を画像、映像、音声の少なくとも１つで通知する広告通知部（表示部１０、音声入出力部２０）と、前記広告通知部を制御する広告通知制御部（タイミング決定部１１０ｈ、表示制御部１１０ｃおよび音声制御部１１０ｄ）と、人を検知する人感センサ２４と、を備え、前記広告通知制御部は、前記広告通知部からの通知をユーザが確認できる可能性が高い時間帯（特定の時間帯）でかつ前記人感センサが人を検知した場合に広告を通知するように、前記広告通知部を制御する。
【００８４】
上記の構成によれば、広告の通知をユーザが確認できる可能性が高い時間帯で、かつ人感センサ２４が人を検知した場合に、広告通知を行うので、効果的な広告通知が可能となる。
【００８５】
本発明の態様２に係る家庭用電気機器は、態様１において、前記人感センサ２４が人を検知した回数を時間帯毎に記憶するモニタリング部（ユーザ情報生成部１１０ｇ）を備え、前記広告通知部からの通知をユーザが確認できる可能性が高い時間帯は、前記人感センサが人を検知した回数が多い時間帯を含む構成とすることもできる。
【００８６】
上記の構成によれば、広告の通知をユーザが確認できる可能性が高い時間帯を、人検知回数を時間帯毎に記憶した情報に基づいて設定することが可能となり、ユーザの手を煩わせることなく自動的に設定することができる。
【００８７】
本発明の態様３に係る家庭用電気機器は、態様１又は２において、広告の通知を希望する時間帯の設定を受け付ける設定受付部（操作パネル９）を備え、前記広告通知部からの通知をユーザが確認できる可能性が高い時間帯は、前記設定受付部で設定された時間帯を含む構成とすることもできる。
【００８８】
上記の構成によれば、ユーザ自身で広告通知を希望する時間帯を指定できるようになる。
【００８９】
本発明の態様４に係る家庭用電気機器は、態様１、２又は３において、前記通信部および前記人感センサはオンオフ可能であり、前記通信部のオンに連動して前記人感センサをオンする構成とすることもできる。
【００９０】
上記の構成によれば、人感センサをユーザの意思でオンオフできる構成としながらも、広告通知を行うタイミングでは、ユーザの手を煩わせることなく確実に人感センサをオンさせることができる。
【００９１】
本発明の態様５に係る家庭用電気機器は、態様１、２、３又は４において、前記通信部はオンオフ可能であり、前記広告通知部は音声による通知を行い、音声出力のオンオフが可能であり、前記通信部のオンに連動して前記広告通知部の音声出力をオンする構成とすることもできる。
【００９２】
上記の構成によれば、音声出力をユーザの意思でオンオフできる構成としながらも、広告通知を行うタイミングでは、ユーザの手を煩わせることなく確実に音声出力をオンさせることができる。
【００９３】
本発明の態様６に係る家庭用電気機器は、態様１、２、３、４又は５において、加熱調理を行う加熱部２１を備える構成とすることもでき、これにより、加熱調理が可能な加熱調理機器を提供できる。
【００９４】
本発明の態様７に係る広告通知システムは、態様１、２、３、４、５又は６に記載の家庭用電気機器と、前記広告情報を前記家庭用電気機器へ送信する前記外部装置としての管理サーバとを備えている。
【００９５】
上記の構成によれば、広告の通知をユーザが確認できる可能性が高い時間帯で、かつ人感センサ２４が人を検知した場合に、広告通知を行うので、効果的な広告通知が可能となる。
【００９６】
本発明の態様８に係る広告通知システムは、態様７において、前記広告通知部は、広告に対するユーザからの要望を受け付け、前記広告通知制御部は、前記広告通知部で受け付けた要望を、前記通信部を介して前記管理サーバに送信し、前記管理サーバは、前記家庭用電気機器から送信されるユーザからの要望を受け付け、該要望に対する回答を前記家庭用電気機器に送信する回答部（要望回答部２００ｅ）を備え、前記広告通知制御部は、前記管理サーバから送信される前記回答をユーザが確認できるように前記広告通知部を制御する構成とすることもできる。
【００９７】
上記の構成によれば、広告通知に対するユーザの要望を受け付け、応えることができるので、単なる広告通知ではなく、商品の購入に結び付く、より効果的な広告通知が可能となる。
【００９８】
本発明の態様９に係る広告通知システムは、態様８において、前記管理サーバは前記家庭用電気機器と関連付けられた端末装置（携帯端末装置３００）と通信可能であり、前記回答部は、前記要望に対する回答を前記端末装置に送信する構成とすることもできる。
【００９９】
上記の構成によれば、広告通知に対するユーザの要望に対する回答を、端末装置にて受け取ることができる。したがって、広告商品や類似商品の書品紹介、購入等をスムーズに行うことができる。これにより、商品の購入に結び付く、より一層効果的な広告通知が可能となる。
【０１００】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１０１】
９  操作パネル
１０  表示部（広告通知部）
１１  広告表示領域
２０  音声入出力部（広告通知部）
２１  加熱部
２４  人感センサ
８０  無線アクセスポイント
１００、１００Ａ  加熱調理機器
１１０  制御装置
１１０ａ  加熱制御部
１１０ｂ  通信制御部
１１０ｃ  表示制御部（広告通知制御部）
１１０ｄ  音声制御部（広告通知制御部）
１１０ｅ、２００ｂ  調理メニュー管理部
１１０ｆ  広告情報取得部
１１０ｇ  ユーザ情報生成部（モニタリング部）
１１０ｈ  タイミング決定部（広告通知制御部）
１１０ｉ  広告情報管理部
１２０  通信モジュール
２００、２００Ａ、２００Ｂ、２００Ｃ  管理サーバ（外部装置）
２００ａ  通信部
２００ｄ  ユーザ情報管理部
２００ｃ  広告情報提供部
２００ｅ  要望回答部
２００ｆ  端末装置管理部
２００ｇ  人感センサ管理部
３００  携帯端末装置（端末装置）
【図１】
2019193792.tif 000003
【図２】
2019193792.tif 000004
【図３】
2019193792.tif 000005
【図４】
2019193792.tif 000006
【図５】
2019193792.tif 000007
【図６】
2019193792.tif 000008
【図７】
2019193792.tif 000009
【図８】
2019193792.tif 000010
【図９】
2019193792.tif 000011
【図１０】
2019193792.tif 000012
【図１１】
2019193792.tif 000013
【図１２】
2019193792.tif 000014
【図１３】
2019193792.tif 000015
【図１４】
2019193792.tif 000016
【図１５】
2019193792.tif 000017
【図１６】
2019193792.tif 000018
【図１７】
2019193792.tif 000019
【国際調査報告】
2019193792.tif 000020
2019193792.tif 000021
2019193792.tif 000022
2019193792.tif 000023